(57)【要約】【課題】  スプリンクラーヘッドが誤作動した場合に起動する排水手段において、該排水手段の起動に電気的手段を用いないで起動可能な排水手段を備えた予作動式スプリンクラー設備の提供。【解決手段】  一次側が給水源１と接続され、二次側にスプリンクラーヘッド４が設置され、該スプリンクラーヘッド４の近傍に設置された火災感知器２１の作動によって開放される開閉弁３の二次側の圧力が第１の圧力以下に降下したことにより二次側の液体を排出する排水手段５を設けた。さらに開放弁３の二次側の圧力が、第１の圧力より高い第２の圧力以下に降下した場合に一次側から二次側へ通水が可能となる減圧流通手段を設けた。【選択図】    図１
2007117166.tif 000002
【特許請求の範囲】
【請求項１】
一次側が給水源と接続され、二次側にスプリンクラーヘッドが設置され、該スプリンクラーヘッドの近傍に設置された火災感知器の作動によって開放される開閉弁が設置された予作動式スプリンクラー設備において、開放弁の二次側の圧力が第１の圧力以下に降下したことにより二次側の液体を排出する排水手段が設置されていることを特徴とする予作動式スプリンクラー設備。
【請求項２】
前記予作動式スプリンクラー設備において、作動した排水手段は二次側の圧力が第１の圧力以上になると閉止する構造であることを特徴とする請求項１記載の予作動式スプリンクラー設備。
【請求項３】
前記予作動式スプリンクラー設備において、開放弁の二次側の圧力が、第１の圧力より高い第２の圧力以下に降下した場合に一次側から二次側へ通水が可能となる減圧流通手段が設置されていることを特徴とする請求項１記載の予作動式スプリンクラー設備。
【請求項４】
前記減圧流通手段とは、常時は閉止状態にあり開放弁の二次側の減圧によって開放される弁装置であり、弁装置の開放によって一次側と二次側が連通可能となることを特徴とする請求項３記載の予作動式スプリンクラー設備。
【請求項５】
前記排水手段は、弁体が弾発体および開放弁の二次側流体の圧力により閉止されており、開閉弁の二次側の圧力減少によって弁体が開放することを特徴とする請求項１記載の予作動式スプリンクラー設備。
【請求項６】
前記排水手段は、開閉弁の二次側の圧力により弁体が閉止されており、開閉弁の二次側の圧力減少によって弁体が開放することを特徴とする請求項１記載の予作動式スプリンクラー設備。
【請求項７】
前記排水手段は、開閉弁の弁体の動作に連動して作動することを特徴とする請求項１記載の予作動式スプリンクラー設備。
【請求項８】
前記排水手段は、減圧流通手段の起動から所定時間経過後において、二次側の圧力が第２の圧力以下の場合に作動されることを特徴とする請求項３記載の予作動式スプリンクラー設備。
【請求項９】
前記排水手段において、火災感知器の作動確定後に排水手段を無効にする排水阻止手段を設けたことを特徴とする請求項１記載の予作動式スプリンクラー設備。
【発明の詳細な説明】
【技術分野】
【０００１】
本発明は、予作動式スプリンクラー設備に関するものである。
【背景技術】
【０００２】
予作動式スプリンクラー設備は、室内に設置された火災感知器とスプリンクラーヘッドが火災によって両方作動した場合にスプリンクラーヘッドから消火水が散布されるものである。
【０００３】
予作動式スプリンクラー設備に用いられる予作動式流水検知装置は、水源からスプリンクラーヘッドまで接続されている配管の途中に設けられ、該予作動式流水検知装置の一次側は水源と接続しており、二次側はスプリンクラーヘッドに接続されている。
【０００４】
予作動式流水検知装置の二次側に接続された配管、いわゆる二次側配管に空気や不燃ガス等の気体を充填したものを乾式予作動スプリンクラー設備といい、消火水が充填されたものを湿式予作動スプリンクラー設備という。
【０００５】
乾式、湿式いずれの場合も予作動式流水検知装置内部の弁体は平時は閉鎖状態にある。火災時に火災感知器が作動すると前記弁体は開放され、水源からスプリンクラーヘッドまでの水路が開放される。乾式の場合は二次側配管に消火水が流入する。
【０００６】
上記の予作動式スプリンクラー設備において火災が発生すると、火災の熱によって火災感知器が作動して、予作動式流水検知装置の弁体を開放する。すると一次側の消火水が二次側に通水可能な状態となり、乾式の場合は二次側配管内に充水が行われる。
【０００７】
火災感知器の作動に続いてスプリンクラーヘッドが作動すると二次側配管内に充水された水がスプリンクラーヘッドより放出される。続いてポンプが起動し、水源の消火水を汲み上げスプリンクラーヘッドに供給して連続的に消火水の散布を行い火災を鎮圧・消火する。
【０００８】
火災時以外にスプリンクラーヘッドが作動した場合には、予作動式流水検知装置の弁体は閉止したままなので、二次側配管内の気体または消火水が流出するだけであり、湿式の場合においても水漏れによる被害は最小限に抑えることができる。
【０００９】
近年においては、設備構成が簡単で火災時に即座に消火水が放出される湿式予作動スプリンクラー設備が注目されている。また湿式予作動スプリンクラー設備においてスプリンクラーヘッドが誤作動した場合の水損量を低減するために、火災感知器が作動せずにスプリンクラーヘッドのみが作動した場合には、二次側配管内の水を排水することや、吸引することによりスプリンクラーヘッドからの放水量を低減して水損被害を抑制可能なスプリンクラー設備がある（例えば、特許文献１、２参照。）
【００１０】
【特許文献１】特開２０００−５１３８５号公報（第２−３頁、第１図）
【特許文献２】特開２０００−１４０１４８号公報（第２−４頁、第１図）
【発明の開示】
【発明が解決しようとする課題】
【００１１】
上記特許文献１、２記載のスプリンクラー設備は、排水手段や吸引手段の起動に電気的手段を用いているため、非常時においても確実に動作を行うためには非常用電源の確保が必要となり、設備コストが増大してしまうものであった。
【００１２】
そこで本発明では、上記問題に鑑み、排水手段の起動に電気的手段を用いないで起動可能な排水手段を備えた予作動式スプリンクラー設備の提供を目的としている。
【課題を解決するための手段】
【００１３】
上記の目的を達成するために、請求項１記載の発明は、一次側が給水源と接続され、二次側にスプリンクラーヘッドが設置され、該スプリンクラーヘッドの近傍に設置された火災感知器の作動によって開放される開閉弁が設置された予作動式スプリンクラー設備において、開放弁の二次側の圧力が第１の圧力以下に降下したことにより二次側の液体を排出する排水手段が設置されている予作動式スプリンクラー設備である。
【００１４】
請求項２記載の発明は、前記予作動式スプリンクラー設備において、作動した排水手段は二次側の圧力が第１の圧力以上になると閉止する構造である請求項１記載の予作動式スプリンクラー設備である。
【００１５】
請求項３記載の発明は、前記予作動式スプリンクラー設備において、開放弁の二次側の圧力が、第１の圧力より高い第２の圧力以下に降下した場合に一次側から二次側へ通水が可能となる減圧流通手段が設置されている請求項１記載の予作動式スプリンクラー設備である。
【００１６】
請求項４記載の発明は、前記減圧流通手段とは、常時は閉止状態にあり開放弁の二次側の減圧によって開放される弁装置であり、弁装置の開放によって一次側と二次側が連通可能となる請求項３記載の予作動式スプリンクラー設備である。
【００１７】
請求項５記載の発明は、前記排水手段が、弁体が弾発体および開放弁の二次側流体の圧力により閉止されており、開閉弁の二次側の圧力減少によって弁体が開放する請求項１記載の予作動式スプリンクラー設備である。
【００１８】
請求項６記載の発明は、前記排水手段が、開閉弁の二次側の圧力により弁体が閉止されており、開閉弁の二次側の圧力減少によって弁体が開放する請求項１記載の予作動式スプリンクラー設備である。
【００１９】
請求項７記載の発明は、前記排水手段が、開閉弁の弁体の動作に連動して作動する請求項１記載の予作動式スプリンクラー設備である。
【００２０】
請求項８記載の発明は、前記排水手段が、減圧流通手段の起動から所定時間経過後において、二次側の圧力が第２の圧力以下の場合に作動される請求項３記載の予作動式スプリンクラー設備である。
【００２１】
請求項９記載の発明は、前記排水手段において、火災感知器の作動確定後に排水手段を無効にする排水阻止手段を設けた請求項１記載の予作動式スプリンクラー設備である。
【発明の効果】
【００２２】
請求項１記載の発明によれば、従来のスプリンクラー設備のように二次側配管内の減圧検知手段に関係なく排水手段が起動されるものであり、電気的手段を用いないことによって電源や配線が不要であり、シンプルな構成により排水手段を設けることが可能となる。また、排水手段の作動を検知することで二次側配管の減圧を検知することが可能となる。
【００２３】
請求項２記載の発明によれば、スプリンクラーヘッドの作動により二次側配管内は減圧して圧力が第１の圧力に達すると、排水手段が起動され二次側配管内の消火水は排出される。排水手段の起動によって二次側配管内は減圧されるが、後に火災感知器が作動するとポンプが起動して加圧水が二次側配管内に流入する。二次側配管内の圧力が第１の圧力以上になると排水手段は停止し、スプリンクラーヘッドから安定して消火水が放出される。
【００２４】
請求項３記載の発明によれば、二次側配管内の消火水は気温の変化による圧力変動や、配管の継目からの微量な漏れ等によって次第に減少していくので、この圧力減少により排水手段を起動させないために、第１の圧力以上に設定された第２の圧力において起動する減圧流通手段を設けたものである。減圧流通手段によって警戒時においては二次側配管内の消火水を排水手段が起動されない所定圧力以上に維持できるものである。
【００２５】
請求項４記載の発明によれば、減圧流通手段は常時は弁装置により一次側と二次側との流通が阻止されており、二次側の減圧によって開放されるもので、例えば弁装置内の弁体を常時バネと開放弁の二次側圧力により付勢させて閉止状態とし、開放弁の二次側が減圧することで開弁される簡易な構成によって減圧流通手段を設けることができるものである。
【００２６】
請求項５、６記載の発明によれば、排水手段を上記減圧流通手段と同様に、開放弁の二次側圧力の減少によって起動する構造としたものである。
【００２７】
請求項７記載の発明によれば、排水手段を開放弁に一体に設け、二次側の減圧による開放弁の弁体の移動に連動して作動されるものであり、排水手段と開放弁を一体に設置したことで装置の小型化やコストダウンが図れるものである。
【００２８】
請求項８記載の発明によれば、減圧流通手段の起動から所定時間経過後に開放弁の二次側の圧力が減圧流通手段の起動圧力である第２の圧力以下である場合に排水手段を起動させることにより、スプリンクラーヘッドまたは二次側配管の漏れが減圧流通手段からの供給水量以上で、排水手段の起動圧力である第１の圧力以上である場合に、排水手段が起動して水損被害が抑制できるものである。
【００２９】
請求項９記載の発明によれば、火災感知器の作動確定後に排水手段を無効にすることで、続いて作動するスプリンクラーヘッドから消火水が遅滞なく散布可能となる。
【発明を実施するための最良の形態】
【００３０】
本発明を実施するにあたって、排水手段は開放弁の二次側の圧力減少によって開弁する減圧作動弁を用いるのが好ましい。該減圧作動弁は開放弁の二次側の圧力が復帰すると弁体を閉止する構造であり、具体的な一例としては弁体の一面が開放弁の二次側の圧力により閉止方向に不勢され、反対側の面がバネ等の弾発体により開放方向に不勢される構造である。その際、弾発体の力は開放弁の二次側の圧力が第１の圧力以下になった際に弁体を開放するように設計する。
【００３１】
減圧流通手段は、開放弁の一次側の圧力と二次側の圧力を等しくした場合、二次側圧力とバネの力により弁体を付勢する簡易なものを開放弁の一次側と二次側との間に設置する。二次側の圧力を一次側の圧力より小さくしたい場合には、一次側と二次側とを電気的制御可能な電動弁により閉鎖し、二次側に設けた圧力検知手段によって電動弁の開閉を制御することや一次側と二次側との間に減圧弁を使用することも可能である。
【００３２】
排水阻止手段は、排水手段の二次側に常時開放状態の電動弁を設置し、火災感知器の作動確定後に電動弁を閉止制御することで構成可能である。
【実施例１】
【００３３】
以下、この発明の実施例１を図１から図３を参照して説明する。図１は本発明の予作動式スプリンクラー設備の系統図、図２は実施例１の開放弁の断面図、図３は実施例１の排水手段の断面図を表す。
【００３４】
本発明の予作動式スプリンクラー設備は図１に示すように、水源１、ポンプ２、開放弁３、スプリンクラーヘッド４、排水装置５から構成される。これらの構成品は配管によって接続され、常時閉止状態の開放弁３を境に一次側配管６と二次側配管７に分けられ、一次側配管６および二次側配管７内には消火水が充填されている。
【００３５】
水源１は、消火水を備蓄しておく水槽である。ポンプ２は火災時に水源１の消火水を作動したスプリンクラーヘッドまで送水する加圧送水装置であり、一次側配管６に設置されている圧力タンク８の圧力値が所定圧力以下になるとポンプ２が起動される。
【００３６】
開放弁３は図２に示すように内部が隔壁９によって一次室Ｉと二次室ＩＩに分けられている。隔壁９には一次室Ｉと二次室ＩＩを連通する連通口１０が開けられており、連通口１０は有底円筒型の弁体１１および弁体１１の背面に設置され、連通口１０側に不勢するバネ１２により閉塞されている。
【００３７】
弁体１１の側面は弁箱の内壁に沿って摺動可能である。弁体１１の背面には弁体１１と弁箱の内壁とによって制御室１３という空間が形成されており、該制御室１３内に消火水を流入・排出することで、弁体１１が弁箱内壁に沿って摺動し、連通口１０の開放・閉止が可能となる。
【００３８】
制御室１３には接続口１４、１５が設置されており、接続口１４は一次室Ｉと接続している配管が設置されている。該配管上には、逆止弁１６が設置されており、逆止弁１６の内部はバネ１７により一次室Ｉ側に不勢された弁体１８が設けられており、逆止弁内部の流体圧力とバネ１７の力によって弁体１８が流路を閉塞している。
【００３９】
バネ１７の力は弱いものでよく、制御室１３内の圧力が一次室Ｉの圧力を下回った場合に弁体１８がバネ１７側に移動され、一次室Ｉの消火水が制御室１３に補充される。制御室１３内の消火水は、弁体１１に穿設された小穴１９によって二次室ＩＩにも流出されており、一次室Ｉ、制御室１３、二次室ＩＩは同圧状態となっている。
【００４０】
制御室１３の接続口１５には、排水管が接続され、該配水管上には常時閉止状態の電動弁２０が設置されている。該電動弁２０はスプリンクラーヘッド４の近傍に設置されている火災感知器２１の作動によって開放されるものである。電動弁２０が開放されると制御室１３内の消火水は排水され、弁体１１が連通口１０から離れて一次室Ｉと二次室ＩＩが連通可能な状態となる。
【００４１】
スプリンクラーヘッド４は火災の熱によって作動するもので、二次側配管７内の消火水を室内に均一に散布するものである。スプリンクラーヘッドについては周知であるので説明は省略する。
【００４２】
排水装置５は図３に示すように筒状で上下に接続口２２、２３が設けられ、接続口２２は図示しない二次側配管７に接続され、接続口２３は図示しない排水管に接続されている。排水装置５の内部には内フランジ２４が設置されており、該内フランジ２４の上に弁体２５が載置され、接続口２３側に二次側配管７内の消火水が流れないように開口２６を閉塞している。
【００４３】
弁体２５の接続口２３側にはバネ２７が設置され、弁体２５を接続口２２側に押し上げるように不勢している。しかしながら弁体２５は二次側配管７内の消火水の圧力によって内フランジ２４を押圧していることから、バネ２７の力によって弁体２５は内フランジ２４から離れることはない。バネ２７の力は二次側配管７内が例えば０．０５ＭＰａになったときに弁体２５を内フランジ２４から引き離す程度の力に設計するとよい。
【００４４】
続いて、実施例１の予作動式スプリンクラー設備の作動について説明する。
【００４５】
平時において、開放弁３は閉止状態を維持しており、一次側配管６および二次側配管７内には消火水が充填された状態にある。火災が発生すると、火災感知器２１が作動して開放弁３の電動弁２０を起動して制御室１３内の消火水を排水し、弁体１１を開放する。
【００４６】
弁体１１の開放によって一次室Ｉと二次室ＩＩは消火水が通過可能な状態となる。火災感知器２１の作動に続いてスプリンクラーヘッド４が作動すると、二次側配管７内部の消火水が作動したスプリンクラーヘッド４から放出される。スプリンクラーヘッド４の作動によって二次側配管７内は減圧されるとともに、一次側配管６内の消火水も開放弁３を通過して二次側配管７に供給されるので一次側配管６内も減圧する。
【００４７】
一次側配管６内が減圧すると圧力タンク８内の圧力も減少し、圧力タンク８からポンプ起動信号が出力され、ポンプ２が起動される。ポンプ２の起動によって水源１より汲み上げられた消火水は、一次側配管６、開放弁３、二次側配管７を通過し、作動したスプリンクラーヘッドへ連続的に供給され、スプリンクラーヘッド４から放出された消火水は室内に均一に散布されて火災が消し止められる。
【００４８】
さらに、火災感知器の作動よりも先にスプリンクラーヘッドが作動した場合について説明する。
【００４９】
火災の熱によってスプリンクラーヘッド４が作動すると、二次側配管７内の消火水が作動したスプリンクラーヘッド４より放出され、二次側配管７内は急激に減圧される。二次側配管７の減圧によって排水装置５内のバネ２７が弁体２５を押圧する二次側配管７内の圧力に打ち勝って、弁体２５が開放される。弁体２５の開放によって二次側配管７内の消火水は排水管から外部に流出して、二次側配管７内は空の状態となる。
【００５０】
続いて火災感知器２１が作動すると、開放弁３内の弁体１１が開放され、一次側配管６内の消火水が二次側配管７内に流れ込んでくる。さらに一次側配管６内も急激に減圧するため、圧力タンク８よりポンプ起動信号が出力され、ポンプ２の起動によって水源１から作動したスプリンクラーヘッド４へ加圧された消火水が供給される。
【００５１】
二次側配管７内に加圧された消火水が流入すると、二次側配管７内の圧力は増加し、排水装置５の弁体２５は二次側配管７内の圧力によって内フランジ２４の上に着座され、排水は停止する。スプリンクラーヘッド４より連続して消火水が放水されることで火災は消火される。
【００５２】
一方、非火災時にスプリンクラーヘッドが誤作動した場合について説明する。
【００５３】
スプリンクラーヘッドが外的衝撃等により火災時以外に誤作動すると、誤作動したスプリンクラーヘッド４から二次側配管７内の消火水が流出して、二次側配管７内は減圧される。二次側配管７の減圧により減圧装置５の弁体２５が開かれ、二次側配管７内部の消火水を急速排水するので二次側配管７内部は空になる。また火災感知器２１が作動していないので開放弁３も閉止状態を維持することから、誤作動したスプリンクラーヘッド４からの放水は停止し、水損被害を低減できるものである。
【実施例２】
【００５４】
続いて、本発明の実施例２について図４を参照して説明する。図４は実施例２の開放弁の断面図である。
【００５５】
実施例２において、実施例１と構造が同じ部分については同符号を付して説明は省略する。実施例２の予作動式スプリンクラー設備は、開放弁の二次側の圧力が一次側の圧力よりも低く設定されているものであり、常時において二次側配管内の圧力が一定範囲内にあるように制御されるものである。
【００５６】
実施例２の予作動式スプリンクラー設備のシステム構成および動作は、実施例１と略同様である。相違点は開放弁の構造の違いであり、この点について説明する。
【００５７】
実施例２の開放弁３０は、二次室ＩＩの消火水の圧力が一次室Ｉの圧力よりも低く設定され、二次室ＩＩおよび二次側配管７内の消火水の圧力をできるだけ低く抑えることにより、スプリンクラーヘッド４が誤作動した際に放出される消火水の量を低減する効果がある。
【００５８】
ここでは一例として、二次側室ＩＩおよび二次側配管７内の圧力を０．２ＭＰａ付近に維持するように構成した開放弁３０について説明する。開放弁３０は概ね実施例１の開放弁３と同じ構造であるが、弁体１１の閉止時に二次室ＩＩへ消火水を補充する構造が異なり、一次室Ｉと二次室ＩＩとを連通する配管３１が設置され、該配管３１上に常時閉止状態の電動弁３２が設置されている。
【００５９】
また、電動弁３２と二次室ＩＩとの間には、圧力検知ユニット３３が設置され、該圧力検知ユニットから出力される信号によって電動弁３２が開閉制御されるものである。
【００６０】
具体的には、圧力検知ユニット３３は電動弁３２を開放する圧力値、例えば０．１５ＭＰａ以下と、電動弁３２を閉止する圧力値である０．３ＭＰａ以上の２つの圧力値の検出が可能である。
【００６１】
これにより二次室ＩＩおよび二次側配管７内は０．１５ＭＰａから０．３ＭＰａの範囲内にあり、スプリンクラーヘッド４が誤作動した際にも水損被害を低減できるものである。
【実施例３】
【００６２】
次に実施例３について図５、６を参照して説明する。図５は実施例３の開放弁の断面図である。図６はスプリンクラーヘッドが誤作動した際の図５の断面図を表す。
【００６３】
実施例３も実施例２と同様、略実施例１と同じ構成および作用であるので、構造が同じ部分には同符号を付して説明は省略する。実施例３の予作動式スプリンクラー設備は、開放弁に排水手段を一体に設置したものであり、その構造を図５に示す。
【００６４】
図５に示す開放弁４０おいて、連通口１０には筒状の可動弁座４１が設置され、皿バネ４２によって可動弁座４１は弁体１１側に不勢されており、可動弁座４１に弁体１１の底面が接している状態にある。
【００６５】
弁体１１の軸の二次室ＩＩ側の延長上には、排水口Ｄが設けられ、排水管が接続されている。排水口Ｄの手前には弁座４３Ａおよび弁体４３Ｂが設けられ、弁体４３Ｂには弁体１１の底面に接するロッド４４が固定設置されている。弁体４３Ｂはバネ４５によって弁座４３Ａ側に不勢されており、常時において弁体４３Ｂは閉止状態にある。
【００６６】
弁体１１には、複数の小穴４６が穿設され、一次室Ｉ内の消火水が制御室１３を介して二次室ＩＩへ流入可能な構造となっている。制御室１３から二次室ＩＩへと連通する小穴４６を通過する水量は、スプリンクラーヘッド１個が作動する際の流量よりも少ない水量となるように小穴の径を設定する。
【００６７】
続いて実施例３の予作動式スプリンクラー設備上のスプリンクラーヘッドが誤作動した場合について説明する。
【００６８】
スプリンクラーヘッド４が火災時以外に作動した場合、開放弁４０の弁体１１は閉止されたままの状態にあり、二次側配管７内の消火水は作動したスプリンクラーヘッド４より流出して、二次側配管７内および二次室ＩＩ内は減圧する。その際、一次室Ｉより制御室１３を介して二次室ＩＩ側に消火水は流れ込むが、制御室１３と二次室ＩＩとを連通する小穴の水量は、スプリンクラーヘッドから放出される消火水の水量よりも少ないことから二次側配管７内は継続して減圧される。
【００６９】
二次側配管７の圧力と制御室１３内の圧力との差が大きくなると、制御室１３内の圧力によって可動弁座４１を不勢している皿バネ４２が弾性変形により潰され、弁体１１および可動弁座４１が二次室ＩＩ側に移動する。
【００７０】
弁体１１の移動に伴い、弁体１１に接していたロッド４４も同方向に移動され、ロッド４４に固定設置されていた弁体４３Ｂは弁座４３Ａから離れて二次室ＩＩの消火水は排水口Ｄから排水される。これによりスプリンクラーヘッドの誤作動時における水損被害の低減が可能となる。
【００７１】
その他、上記以外の実施例として、排水手段と減圧流通手段とを一体に構成してもよい。例えば三方弁により第１の接続口を開放弁の二次側に、第２の接続口を排水管に、第３の接続口をオリフィスを介して開放弁の一次側に、各々接続する。二次側に設けた圧力検知手段からの信号により三方弁の流路を切替えることで排水手段と減圧流通手段とを一体に構成することが可能となる。
【００７２】
また前述にもあるとおり、排水手段および減圧流通手段は電気的に制御することも可能である。
【図面の簡単な説明】
【００７３】
【図１】本発明の予作動式スプリンクラー設備の系統図
【図２】実施例１の開放弁の断面図
【図３】実施例１の排水手段の断面図
【図４】実施例２の開放弁の断面図
【図５】実施例３の開放弁の断面図
【図６】スプリンクラーヘッドが誤作動した際の図５の断面図
【符号の説明】
【００７４】
１  水源  
２  ポンプ  
３  開放弁  
４  スプリンクラーヘッド  
５  排水装置    
１０  連通口    
１１  弁体    
１３  制御室    
１６  逆止弁    
１９  小穴    
２０  電動弁    
２１  火災感知器    
２２  二次側接続口    
２３  排水側接続口    
２５  弁体    
３０  実施例２の開放弁    
３２  電動弁    
３３  圧力検知ユニット    
４０  実施例３の開放弁    
４１  可動弁座    
４２  皿バネ    
４３Ａ  排水手段の弁座    
４３Ｂ  排水手段の弁体    
４４  ロッド    
４６  小穴    
【図１】
2007117166.tif 000003
【図２】
2007117166.tif 000004
【図３】
2007117166.tif 000005
【図４】
2007117166.tif 000006
【図５】
2007117166.tif 000007
【図６】
2007117166.tif 000008